(57)【要約】【課題】文字入力によって所望の言葉を検索するとき、言葉の一部の文字、或いは読みの一部のみを入力して曖昧検索を行わせることにより、多数検索され表示された言葉の中から、所望の言葉を容易に、且つ速く探し出すことができる「検索結果表示装置」とする。【解決手段】検索する言葉の文字、或いは中国語のピンイン入力のように読みの一部を入力し、その文字について曖昧検索を行うことにより、関連する種々の言葉を検索するとき、得られた多数の検索結果をグループ化してリスト表示するとともに、その中でユーザが指定したグループについて、グループ内の検索結果をグループ内検索結果リスト表示部で表示し、ユーザはその中から希望するものを指定して出力する。また、グループリスト表示やグループ内検索結果リスト表示に際しては、検索結果について前記文字入力部で入力した文字に関連する部分をハイライト表示等によりわかり易く表示する。【選択図】図１
2009140287.tif 000002
【特許請求の範囲】
【請求項１】
検索する言葉の文字或いは読みの一部を入力する文字入力部と、
前記文字入力部で入力した文字を検索する検索部と、
得られた複数の検索結果をグループ化してリスト表示するグループリスト表示部と、
前記グループリスト表示部で表示したグループの内、ユーザが指定したグループについて、グループ内の検索結果をリスト表示するグループ内検索結果リスト表示部と、
前記グループ内検索結果リスト表示部で表示したリストの中から、ユーザが任意のものを選択指示することにより検索結果の出力を行う出力部とを備えたことを特徴とする検索結果表示装置。
【請求項２】
前記文字入力部で入力する文字は、検索する言葉が漢字であるときの読みの文字であり、
前記検索部では文字入力部で入力した前記読みの文字に該当する漢字からなる言葉を検索することを特徴とする請求項１記載の検索結果表示装置。
【請求項３】
前記検索する言葉が漢字であるときに入力する読みの文字は、ピンイン文字であることを特徴とする請求項２記載の検索結果表示装置。
【請求項４】
前記文字入力部で入力する文字は、検索する言葉の略称であることを特徴とする請求項１記載の検索結果表示装置。
【請求項５】
前記グループリスト表示部及びグループ内検索結果リスト表示部では、検索結果について前記文字入力部で入力した文字に関連する部分を他とは識別可能に表示することを特徴とする請求項１記載の検索結果表示装置。
【請求項６】
請求項１記載の検索結果表示装置を、ナビゲーション装置の目的地検索を行う装置として用いたことを特徴とするナビゲーション装置用検索結果表示装置。
【発明の詳細な説明】
【技術分野】
【０００１】
本発明は、例えばナビゲーション装置において中国語での検索で行われるピンイン検索のように、目的地を検索するに際して、検索する所定の言葉について読みの文字を入力する等、任意の文字を入力することにより検索して表示される多数の検索結果から、所望の言葉を容易に見つけることができるようにした検索結果表示装置に関する。
【背景技術】
【０００２】
例えばナビゲーション装置においては、ＧＰＳにより得られる自車位置から、ユーザが種々の手法によって入力する目的地との間の走行路を演算し、これを誘導経路として設定した後はナビゲーション装置がその誘導経路に沿って安全に間違いなく走行できるようにモニタの地図画面に誘導経路と自車位置を表示し、また音声によって経路を案内している。
【０００３】
このようなナビゲーション装置にとって、現在地は前記のようにＧＰＳによって容易にデータ入力することができるのに対して、目的地を入力することは困難であり、そのために例えば都道府県から順に市町村等に順に地域を絞り込んでいく地域絞込検索や、特定の店や施設を検索する際に、コンビニ、レストラン、動物園、遊園地等の施設のジャンルを選択して検索する施設分類検索や、目的地の家や施設等の電話番号を入力して検索する電話番号検索等々、種々の手法が用いられている。
【０００４】
また、その際の入力手法としては、目的地の地名や施設等を文字により入力する文字入力手法や、モニタに表示されたメニューをカーソルによって指示し順に確定していくカーソル移動手法や、画面に表示したメニュー部分を画面に設けたタッチパネルに指等で触ることにより指示を行うタッチパネル手法、更にはユーザの指示音声を認識してこれを指示信号とする音声入力手法等が採用されている。
【０００５】
目的地を検索するに際して、前記のように種々の入力手法を用いて検索するとき、ユーザがその目的地に関連する言葉をある程度記憶しているときには、その言葉を入力して検索を行うことは、確実に検索を行う手法として広く用いられており、そのために文字入力に際して、五十音表を表示し、カーソル等によって所望の言葉を順に入力することが行われている。その文字入力に際しては、例えば特定の市町村名や施設名を全て入力するには多くの手数を要するため、主要な言葉のみを入力し、検索結果から選択する曖昧検索手法も採用される。
【０００６】
前記のような目的地検索において、中国で用いるナビゲーション装置では、目的地を文字入力する際、漢字を直接入力することは困難であるので、漢字の読みを入力し、それを変換して所望の漢字からなる言葉を入力することとなる。中国語においてこのような漢字の読みをピン音、或いはピンインと称し、日本語のローマ字読みのように入力することが、各種中国語の検索において行われている。その際、例えば「北京」をピンインにより「ｂｅｉ３  ｊｉｎｇ１」と入力することにより所望の地名の「北京」を入力することができる。
【０００７】
ここで「ｂｅｉ３」の「３」は４種類の音調の内の第３番目の音調である第３声であること、また「ｊｉｎｇ１」の「１」は同様に第１声であることを示し、同じ読みでも音調によって異なる言葉を示すことにより識別できるようにしている。なお、これらの１声〜４声はそれぞれ母音の上に付ける記号によっても識別表示される。
【０００８】
上記のような中国語における文字入力に際して、漢字の読み仮名入力であるピンイン入力を行う際、例えば前記のように「北京」を「ｂｅｉ３  ｊｉｎｇ１」と入力するには多くの手間を必要とし、特に地名や施設名が長くなるとより複雑な入力を行う必要があり、パソコン等の場合は慣れることによりキーボードによって比較的容易に入力することができるが、ナビゲーション装置のような画面上のボードを順に指示して入力する場合には、操作性の悪さからピンインを全て入力することは困難である。
【０００９】
そのため、中国語の検索に際して広く用いられている、各漢字のピンインにおける最初の文字である第１番目の子音のみを順に入力することが行われる。即ち、前記「北京」の「ｂｅｉ３  ｊｉｎｇ１」においては、「ｂ、ｊ」を入力することにより、即ち「ｂｊ」と入力することによって検索を行い、この読みに該当する漢字を全て検索し、その中から所望の漢字を選択して確定する検索手法が広く用いられている。このようなピンイン入力を行うと、例えばナビゲーション装置の検索手段では、漢字の読みの最初に「ｐ」の付く漢字をもつ言葉を全て検索し、次に「ｊ」の読みの付く漢字をその中から検索し、「ｐ、ｊ」の順に並んでいる言葉を前方一致、後方一致、中間一致の全てについて検索する。
【００１０】
更に「ｐ」と「ｊ」との間に本来は別の漢字が入っている可能性もあることを考慮し、「ｐ、？、ｊ」等について検索を行う。更に必要なときには、入力したピンインの順序が異なっていることを考慮し、「ｊ、ｐ」の順の言葉も同様に検索する等、種々の検索を行う。このような検索は従来から用いられている一種の「曖昧検索」であり、したがってこのような検索手法は「ピンイン検索」における「曖昧検索」を行っている、ということができる。
【００１１】
なお、複数の項目の中から所望の項目を検索するときに、所望の項目の頭文字を簡単に入力することができるようにした技術は特許文献１に開示され、また文字数の多い単語に対するピンインの入力負担を軽減するため、各単語毎にピンインとそれに対応する漢字を記憶した単語辞書を作成しておく技術は特許文献２に開示され、また電子番組ガイドから所望のものを効率よく選択するため、最初の画面では番組内容を含まないできる限り広い範囲の番組表を表示し、その中の所望の部分を選択して番組内容を含む番組表を表示するようにした技術は特許文献３に開示されている。
【特許文献１】特開２００５−１１５４２１号公報
【特許文献２】特開平１１−１６１６４０号公報
【特許文献３】特開２００３−３２５６８号公報
【発明の開示】
【発明が解決しようとする課題】
【００１２】
前記のようなピンイン検索において、特に検索する言葉を構成する漢字の先頭の子音のみを入力して検索する手法は、通常の文章においては比較的正確に所望の漢字に変換することができるが、例えば「北京大飯店」「北京〇〇」のような施設名や地名の合成単語においては、極めて多数の言葉が該当し、それらが全て検索される結果、所望の言葉を見つけることが困難となる。
【００１３】
したがって例えば図４に示すように、中国で用いるナビゲーション装置において、最初同図（ａ）に示すような、目的地の検索において施設名を文字入力によってピンイン検索しようとするとき、モニタに表示された文字入力画面でカーソル等を操作することにより順に入力を行い、図示の例では「ｊｙｚ」と表示されているような入力を行った例を示している。この状態から同図（ｂ）のような検索実行画面となり、ここで各種検索の中から「ピンイン検索」を選択して実行し、それにより同図（ｃ）のような検索結果が得られる。
【００１４】
図４（ｃ）に示す例においては、検索の結果「加油店」が該当し、その単語に関連する「冬加油店」「夏加油店」「加油店〇〇」「秋加油店」等々が検索され、表示される。ユーザはこのような表示を見て、この中に所望のものが存在しないときにはスクロール表示、或いは次画面表示を行い、所望の単語が出てくるまで同様の操作を繰り返すこととなる。このような作業は検索結果の候補が少ないときにはよいが、前記のような検索では１万件以上の検索結果となる。
【００１５】
したがって前記のような検索を行うことにより、ユーザは実際には「札希崗××」を探したいと思っているにもかかわらず、「札希崗」「加油店」「軋頭橋」等々、全く関係のない施設名を含む候補が検索され、図４（ｄ）のように所望の「札希崗××」を表示するまで多くの時間がかかり、あまりにも多いと注意力が散漫になって、画面に表示されたときに見落としてしまうこともある。そのため何らかの対策が必要とされている。
【００１６】
このような必要性は前記のようなピンイン検索における曖昧検索の場合に限らず、日本語においても例えば千葉県柏市立柏小学校を検索するとき、通称「柏小」であることからこれを入力すると、全国の「柏小学校」が検索されるとともに、「××柏小学校」のほか、「××柏小売会館」「××柏小路教会」等々の施設が検索されることとなり、このようなときも、より探しやすい検索手法の開発が望まれる。即ち、簡略語の入力や、特定の言葉のみを知っていることによりその言葉を入力して検索するような、目的とする言葉の一部の言葉を入力して検索を行うとき、これを実際に指示する検索手段では、その入力によって種々の可能性を含めて曖昧検索を行うときに、前記と同様の問題を生じる。
【００１７】
更に、前記のような曖昧検索によって極めて多数の候補が検索され、しかも前方一致、後方一致、中間一致、更に他の組み合わせによる曖昧検索結果等では、表示された言葉の内どの部分が検索を指定した言葉であるのかがわからなくなってしまう。特にピンイン検索の時には、表示された漢字の列は、どのピンインがどの漢字に相当するのか極めてわかりにくくなってしまう。そのことも多数の検索結果から所望のものを選択することが困難なり結うともなっている。
【００１８】
このようなあまりにも多数の検索結果が出力されないように、例えば入力した文字列で始まる施設や地名しか検索できないようにすることも行われており、これでは検索で得られる結果に信頼性が無くなり、ユーザが不安となり、ひいてはこの検索装置を用いているナビゲーション装置の信頼性にも影響することとなる。
【００１９】
したがって本発明は、文字入力によって所望の言葉を検索するとき、一部の言葉の文字或いは読みの一部のみ入力して種々の可能性を考慮した検索を行わせることにより、多数検索され表示された言葉の中から、所望の言葉を容易に、且つ速く探し出すことができるようにし、また検索結果の表示に際して、検索の入力と検索結果の言葉がどのように対応しているかを容易に知ることができるようにした、検索結果表示装置を提供することを主たる目的とする。
【課題を解決するための手段】
【００２０】
本発明に係る検索結果表示装置は、前記課題を解決するため、検索する言葉の文字或いは読みの一部を入力する文字入力部と、前記文字入力部で入力した文字を検索する検索部と、得られた複数の検索結果をグループ化してリスト表示するグループリスト表示部と、前記グループリスト表示部で表示したグループの内、ユーザが指定したグループについて、グループ内の検索結果をリスト表示するグループ内検索結果リスト表示部と、前記グループ内検索結果リスト表示部で表示したリストの中から、ユーザが任意のものを選択指示することにより検索結果の出力を行う出力部とを備えたことを特徴とする。
【００２１】
また、本発明に係る他の検索結果表示装置は、前記検索結果表示装置において、前記文字入力部で入力する文字は、検索する言葉が漢字であるときの読みの文字であり、前記検索部では文字入力部で入力した前記読みの文字に該当する漢字からなる言葉を検索することを特徴とする。
【００２２】
また、本発明に係る他の検索結果表示装置は、前記検索結果表示装置において、前記検索する言葉が漢字であるときに入力する読みの文字は、ピンイン文字であることを特徴とする。
【００２３】
また、本発明に係る他の検索結果表示装置は、前記検索結果表示装置において、前記文字入力部で入力する文字は、検索する言葉の略称であることを特徴とする。
【００２４】
また、本発明に係る他の検索結果表示装置は、前記検索結果表示装置において、前記グループリスト表示部及びグループ内検索結果リスト表示部では、検索結果について前記文字入力部で入力した文字に関連する部分を他とは識別可能に表示することを特徴とする。
【００２５】
また、本発明に係る他の検索結果表示装置は、前記検索結果表示装置において、前記検索結果表示装置を、ナビゲーション装置の目的地検索を行う装置として用いたことを特徴とする。
【発明の効果】
【００２６】
本発明は上記のように構成したので、文字入力によって所望の言葉を検索するとき、一部の言葉の文字或いは読みの一部のみ入力して種々の可能性を考慮した検索を行わせることにより、多数検索され表示された言葉の中から、所望の言葉を容易に、且つ速く探し出すことができる。また、検索結果について文字入力部で入力した文字に関連する部分を他とは識別可能に表示したものにおいては、検索の入力と検索結果の言葉がどのように対応しているかを容易に知ることができるようになる。
【発明を実施するための最良の形態】
【００２７】
本発明は文字入力によって所望の言葉を検索するとき、一部の言葉の文字或いは読みの一部のみ入力して種々の可能性を考慮した検索を行わせることにより、多数検索され表示された言葉の中から、所望の言葉を容易に、且つ速く探し出すことができるようにするという目的を、検索する言葉の文字或いは読みの一部を入力する文字入力部と、前記文字入力部で入力した文字を検索する検索部と、得られた複数の検索結果をグループ化してリスト表示するグループリスト表示部と、前記グループリスト表示部で表示したグループの内、ユーザが指定したグループについて、グループ内の検索結果をリスト表示するグループ内検索結果リスト表示部と、前記グループ内検索結果リスト表示部で表示したリストの中から、ユーザが任意のものを選択指示することにより検索結果の出力を行う出力部とを備えることにより実現した。
【実施例１】
【００２８】
本発明の実施例を図面に沿って説明する。図１には本発明による検索結果表示装置としての目的地検索表示出力部３１を主として示したナビゲーション装置の機能ブロック図である。図１に示すナビゲーション装置においては、通常のナビゲーション装置と同様の機能を行うため、システム制御部１０に各種の所定の機能を総合的に行うためのソフトウェアを記録したＲＯＭ、そのソフトウェアを処理するためのＣＰＵ及びＲＡＭ等を備え、これと接続した各機能部の制御を行っている。
【００２９】
図示のナビゲーション装置においては、このシステム制御部１０に対して車両位置検出部１３を接続し、ＧＰＳ受信器１１の位置データを入力するとともに、更に必要に応じて車速センサや角度センサによる走行距離・方位検出部１２からの車両の移動データを入力することによって、車両の現在位置を正確に検出している。またシステム制御部１０には指示信号入力部１６を接続し、従来と同様にリモコン１４からの信号を入力し、またユーザの指示音声を認識する音声認識部１５を備え、その認識結果による指示信号も入力している。この指示信号入力部１６から、後述する目的地検索表示出力部３１の目的地検索指示入力部３２に、各種の指示信号を出力している。
【００３０】
更にこのシステム制御部１０にはデータ取込部１８を接続し、ＣＤ−ＲＯＭ、ＤＶＤ−ＲＯＭ、或いはハードディスク等の地図・情報データ記録媒体１７から必要な地図データ、施設情報等を取り込み、更にそのデータ記録媒体がハードディスクのように容易にデータの書き込みができるような場合には、外部から取り込んだデータや、他の機能部で処理したデータを後に読み取って利用することができるように、そのデータ記録媒体に入力もできるようにしている。したがって、この地図・情報データ記録媒体１７に記録されている、地図データと関連づけられている地名、施設名等を、後述する目的地検索表示出力部３１の目的地検索部において検索を行うときに、これを使用することができる。
【００３１】
誘導経路演算部１９においては、車両位置検出部１３で検出した車両の現在地を取り込み、また、後述するような目的地検索表示出力部３１で検索し設定した経由地及び最終目的地を取り込み、最短所要時間、最短距離、一般道路優先等の種々の条件において最適の誘導経路を演算して提示する。誘導経路案内部２０では、前記のようにして演算された誘導経路について、利用者が最終的に選択した誘導経路を記憶し、現在位置から経由地を経て最終目的地まで、安全に且つ間違いなく走行できるように、音声及び画面によって案内を行う。
【００３２】
音声出力部２１では誘導経路案内部２０から出力する音声案内をスピーカ２２から出力すると共に、必要に応じて更に種々の音声出力を行う。画像表示部２３ではモニタ２４に出力する各種の画像を表示するものであり、現在地を中心とした地図、誘導経路案内部２０から出力される交差点拡大図のほか、モニタ２４にタッチパネルを備えているとき、ユーザがモニタにタッチして指示入力を行うための表示等、種々の表示を行う。
【００３３】
本発明を実施する目的地検索表示出力部３１においては、システム制御部１０と接続して前記各部と関連して作動を行うものであり、その中の目的地検索指示入力部３２においては、ユーザが検索を行うために必要な種々の信号を入力するものであり、例えば検索文字入力部３３では、後述するような文字入力を行うとき、ユーザが指示信号入力部１６からリモコンを利用し、またタッチパネルを利用し、或いは音声認識装置を利用する等によって所望の文字を入力する。
【００３４】
また、表示グループ指示部３４においては、後述するように検索結果をグループ表示するとき、その中の特定のグループを指示するための入力を行う。また、目的地選択指示部３５においては、グループ表示され、その中の特定のグループを選択してその中から所望の目的地を探し出したときには、それをナビゲーション装置の目的地とすることを指示する入力を行う。
【００３５】
目的地検索部３６においては、文字入力式検索部３７を備え、例えば前記図４（ａ）と同様の画面を示している図３（ａ）の画面例のように、モニタに表示される文字列の中から任意のものを選択して文字入力を行い、その入力した文字について検索を行う。図１に示す目的地検索部３６においてはそのほかに画面表示選択式検索部３８を備え、直接文字を入力する以外に、例えば都道府県別表示から任意のものを選択し、その後表示される市町村別表示から更に任意のものを選択する、という地域絞込検索手法により目的地を絞り込み、また各種の施設グループを表示してその中から例えば「コンビニ」を選択し、その後表示される各系列店の中から所定の系列店を選択し、その後特定の店を選択するような、施設分類を利用した検索等、種々の画面表示選択式検索を行う。音声入力式検索部３９では、ユーザの音声を前記音声認識部１５で認識し、目的地の指示に関するものについてはこの音声入力式検索部３９で処理して検索を行う。
【００３６】
図１に示す例においては、文字入力式検索部３７に地域絞込検索部４１を備え、前記画面表示選択式検索部３８の説明で述べたような、例えば都道府県、市町村、と順に特定の地名を文字入力して検索を行う。また、施設分類検索部４２においては、前記と同様に、各種の施設グループを表示してその中から特定のものを選択し、その後表示される細分類グループ或いは系列店等の中から所定のものを選択し、その後特定の施設を選択する等、施設分類を利用した検索を行うとき、これらの文字入力を行う。また、電話番号検索部４３では、目的地の施設、或いは目的地に近接した施設の電話番号がわかるとき、その電話番号を直接入力することによって目的地を検索する。
【００３７】
特定文字入力曖昧検索部４４においては、目的地の地名或いは施設名等の言葉のうち、特定の一部の言葉のみを入力して、入力した言葉に関連すると思われるものを、前方一致、後方一致、中間一致、入力語分割順序変更検索等の曖昧検索を行う。ここでは前記のような中国語における漢字のむりがなの一種であるピンインを入力するとき、入力したピンインに該当する漢字について前記のような曖昧検索を行う。その際には漢字毎にその漢字のピンインの最初の子音のみを入力する簡略ピンイン入力のような、特定ピンインのみを入力したときにおいても、前記のような検索を行う。また、例えば「柏小」のように略称を入力するときのような、特定の文字のみを入力したときにも検索を行うことができる。
【００３８】
図１の目的地検索表示出力部３１には検索結果データ記憶部４５を備え、前記目的地検索部３６で検索したときに複数の候補が存在する際には、それを一時的に記憶し、検索結果リスト作成部４６で検索結果をユーザに表示するためのリストを作成する際、これを読み込んで任意のリストを作成できるようにする。検索結果リスト作成部４６では前記のようハリスと作成を行うものであり、図示の例ではグループリスト作成部４７において多数の検索結果から、例えば同じ漢字列からなる言葉のグループ等の、任意のグループを作り、このグループをリスト化する。
【００３９】
また、グループ内リスト作成部４８では、前記グループリスト作成部４７でグループ表示を行って、ユーザが特定のグループを選択し、これを表示グループ指示部３４から入力したときには、指示されたグループに属する検索結果の地名や施設名のリストを作成する。ここで作成されたグループリスト及びグループ内リストは、検索結果リスト表示部４９において、それぞれグループリスト表示部５０、及びグループ内リスト表示部５１で各々表示のための所定の処理を行う。
【００４０】
検索結果ハイライト表示部５２においては、特に特定文字入力曖昧検索部４４で検索を行ったとき、モニタに表示される検索結果の文字のうち、どの文字が検索のために入力した文字であるかをハイライト表示等によりユーザに対してわかり易く表示する。このような処理を行ったリスト等は表示出力部５３から、画像出力部２３を介してモニタ２４に表示する。
【００４１】
前記のような機能ブロックからなる実施例においては、本発明において主要な対象となる中国語のピンイン入力による目的地検索に際して、特に各語の最初の子音のみを入力する等の、特定の文字のみを入力して検索を行う際に、例えば図２に示すような作動フローにより順に作動させ、所望の検索を行うことができる。図２に示す特定ピンイン文字入力目的地検索処理においては、最初に文字入力が行われ（ステップＳ１）、次いで入力した文字によりピンイン検索を行うか否かの判別を行う。ここでピンイン検索を行わないと判別したときには他の検索用の文字入力であるとしてステップＳ１２に進み、この作動フローの処理は終了する。
【００４２】
ステップＳ２において入力した文字によりピンイン検索を行うと判別したとき、即ちユーザが図３（ｂ）における検索文字入力後にどのような検索を行うかの選択に際して、ピンイン検索を選択したときには、入力したピンイン文字について曖昧検索を行う（ステップＳ３）。即ち、図２の例においては、ピンイン検索を行ったときには、全て曖昧検索を行い、前方一致、後方一致、中間一致、更には必要に応じて入力語分割順序変更検索等の曖昧検索を行うようにしている。なお、必要に応じてユーザがこのような曖昧検索を行う指示をしたときのみ曖昧検索を行い、それ以外の時には全文一致検索を行うように設定しても良い。
【００４３】
その後検索結果を一時記憶し（ステップＳ４）、次いで検索結果の中で数の多いグループ順にリストを作成する（ステップＳ５）。これらの処理は図１の目的地検索部３６の特定文字入力曖昧検索部４４において検索を行い、その検索結果を検索結果データ記憶部４５に記憶し、そのデータを検索結果リスト作成部４６におけるグループリスト作成部４７でリストを作成することにより行う。
【００４４】
次いで、図示の例ではグループを数の多い順にリスト表示してグループリストとし（ステップＳ７）、リスト中の最初のグループの検索結果のリストを表示している。即ち、例えば図３に示すように、前記従来の例である図４（ａ）と同様の画面表示により、目的地を施設名の文字入力により検索を行う画面でピンイン入力を行い、例えば「ｊｙｗ」を入力したとき、同図（ｂ）のように各種検索手法の中でどの検索を行うかの選択画面を表示し、ここで「ピンイン検索」を選択すると、同図（ｃ）のような画面を表示する。
【００４５】
図３（ｃ）の例においては、画面上部に現在は目的地検索における施設名を入力した状態でピンイン検索を行った結果得られた画面であることを表示し、その左側画面に現在地周辺地図を表示するとともに、右側画面に検索結果を表示している。この検索結果を表示する画面において、その上部には前記検索結果得られたグループを、グループリスト表示欄ＧＬに、検索した結果数の多いグループ順に左側から並べて表示した例を示しており、図示の例では「加油店」「札希崗」「閘北店」・・・・と順に表示している。なお、図示の例ではこれらのグループリスト表示欄ＧＬの表示部分の上方にグループスクロールバーＧＳＢを備えている。
【００４６】
図３（ｃ）の画面においては検索直後に最初に表示される画面例を示しており、したがって検索結果において最も数の多かった「加油店」がグループリスト表示欄ＧＬの左端に表示されており、次いで「札希崗」、その次に「閘北店」・・・と並んでいることを示している。また、図３（ｃ）の画面例ではグループリストを表示した最初の画面であるので、このグループリスト表示欄ＧＬに表示されている検索結果のグループの最初に表示されている「加油店」をハイライト表示し、他と容易に識別可能にした状態を示している。
【００４７】
この画面例ではグループリスト表示欄ＧＬの下にそのグループに属する検索結果の施設名や地名をリスト表示する検索結果リスト表示欄ＫＬを設け、前記のようにこの画面は検索結果の最初の表示画面であるので、前記指示されているグループである「加油店」についての検索結果の施設リストを、日本語における五十音順、或いはそれらの漢字の読みのアルファベット順等、所定の順序で縦方向に並べて表示している。図示の例では「加油店ＸＸ」「冬加油店」「夏加油店」「加油店〇〇」「秋加油店」・・・と並んでおり、各施設名の横には現在地から各施設までの距離を表示している。
【００４８】
また、この画面は検索結果の最初の表示画面であるので、検索結果リスト表示欄ＫＬの最も上に表示されている検索結果施設表示部に、施設選択指示表示を示している。また、この検索結果リスト表示欄の図中左側には、検索結果のリストをスクロール表示するバーを設け、更にこのリストについて多く使用する次候補表示バーを最も下方に配置した例を示している。
【００４９】
図２の前記ステップＳ６及びステップＳ７においては、このようなグループリスト表示、及び最初のグループについての検索結果リストであるグループ内リストの表示を行うこととなる。その後ステップＳ８において希望の目的地は見つかったか否かの判別を行い、ここでは図３（ｃ）のリスト表示の最初の画面で目的地が見つかったか否かを判別する。この最初の画面で目的地が見つかったときには、ステップＳ１１に進んで希望の目的地であることの指示を行い出力し、この処理を終了する（ステップＳ１２）。
【００５０】
ステップＳ８において現在の画面には希望する目的地が存在しないと判別したときには、グループリストの中から希望の目的地が入っていると思われるグループを選択する（ステップＳ９）。図３に示す例においては、同図（ｃ）の画面において、ユーザが希望する施設名はグループリスト表示欄において、最初に自動的に指示している「加油店」ではないと判断したときであって、グループリストではその次に表示している「札希崗」であるときには、同図（ｄ）のようにこのグループをカーソルの移動等により指示する。このとき図示するようにこの部分をハイライト表示等により他と容易に識別できるように表示し、且つこのグループにおいて検索した結果を順に検索結果リスト表示欄ＫＬに表示する。同時に、選択したグループに属する検索結果の施設をグループ内リストとして順に表示する（ステップＳ１０）。
【００５１】
その後ステップＳ８に戻り、ユーザはこの画面の表示において自分の希望する施設が検索結果リスト表示欄に表示されているか否かを判断し、表示されていないときには画面をスクロールすることにより探し、希望する目的地が見つかったときには前記と同様にステップＳ１１に進み、希望の目的地であることを指示し出力する。また、ここでも希望の目的地が見つからなかったときには、再びステップＳ９においてグループリストの中から希望の目的地が入っていると思われるグループを、グループリスト表示欄のスクロールによって探し、希望の施設が入っていると思われるグループを選択し、以下同様の作動を繰り返す。このようにして最終的にステップＳ１１において希望の目的地を指示し、それを出力してこの処理を終了する（ステップＳ１２）。
【００５２】
図３の例においては、同図（ｄ）のように「札希崗」のグループを選択することによりそのグループに属する検索結果リストを順に表示されている状態で、ユーザが「札希崗ＸＸ」が希望する施設名であったことによりこれを選択し、目的地が決定した状態を示している。
【００５３】
上記のような機能ブロックの構成において前記のような作動を行い、図３に示すような表示処理を行うことによって、従来は極めて多数の検索結果を順に表示して探さなければならなかったのに対して、本発明においては多数の検索結果をグループ分けし、各グループ単位に一種のタブに相当するグループ表示を行い、このグループを指示することによりそのグループ内の検索結果のリストを表示し、その中から所望のものを選択する、という簡単な手法により、容易に、且つ速く希望する施設や目的地を探し出すことができるようになる。
【００５４】
また、多数の候補を表示しているときに、自分が入力し指示したものに対応した部分をハイライト表示等によって他と容易に識別できるように表示しているため、ピンイン入力によりローマ字入力を行った結果得られた漢字が、特に長い言葉の一部であるときのように、どの部分の漢字であるかがわかりにくくなるときでも、容易にこれを識別でき、多数の検索結果から希望するものを容易に探し出すことができるようになる。同様に、ピンイン文字のＡＮＤ検索を行うときには、前記のようなハイライト表示がされていると、どのような検索により得られた検索リストであるかが容易にわかり、希望する施設を容易に探し出すことができるようになる。  
【産業上の利用可能性】
【００５５】
本発明による検索結果表示装置は、前記実施例のようなナビゲーション装置の目的地検索に際して、中国語のピンイン検索を行うときに好適に利用することができるが、ピンイン以外の略称による目的地の検索等にも用いることができ、また目的地検索以外の種々の検索にも用いることができ、ナビゲーション装置以外にもパソコンや各種電子機器において、種々の検索にもその表示に際して利用することができる。
【図面の簡単な説明】
【００５６】
【図１】本発明をナビゲーション装置に適用した例の機能ブロック図である。
【図２】同実施例において特定ピンイン文字入力により目的地検索を行う処理の作動フロー図である。
【図３】同実施例における画面表示例を示す図である。
【図４】従来例における画面表示例を示す図である。
【符号の説明】
【００５７】
３１  目的地検索表示出力部    
３２  目的地検索指示入力部
３３  検索文字入力部
３４  表示グループ指示部
３５  目的地選択指示部
３６  目的地検索部
３７  文字入力式検索部
３８  画面表示選択式検索部
３９  音声入力式検索部
４１  地域絞込検索部
４２  施設分類検索部
４３  電話番号検索部
４４  特定文字入力曖昧検索部
４５  検索結果データ記憶部
４６  検索結果リスト作成部
４７  グループリスト作成部
４８  グループ内リスト作成部
４９  検索結果リスト表示部
５０  グループリスト表示部
５１  グループ内リスト表示部
５２  検索文字ハイライト表示部
５３  表示出力部
【図１】
2009140287.tif 000003
【図２】
2009140287.tif 000004
【図３】
2009140287.tif 000005
【図４】
2009140287.tif 000006